(57)【要約】【課題】デジタル放送受信器で受信したデータを記録する際、記録作動中に受信状態が悪くなったとき記録を停止し、その後記録できなかった部分を他のデータで補充する。【解決手段】デジタル放送を受信して記録する記録媒体を備え、放送の受信レベルが所定以下であることを受信不良検出部３０で検出し、そのときには受信放送の記録を停止し、受信不良が解消したとき記録を再開する。また、前記受信不良検出時には、受信した放送番組データから受信放送番組の再放送を検出し、再放送が存在するときにはその再放送番組の記録予約を行う。また、再放送が存在しないときには家庭内設置の録画機能付家庭内デジタル放送受信機５１に放送番組データを送信し、直ちに録画を開始させる。その後再放送記録が行われたとき、或いは家庭内機器で記録が行われたときには、それらのデータを用いて録画欠損部分のある先のデータ部分に補充し、完成した録画データとする。【選択図】図１
2006229794.tif 000002
【特許請求の範囲】
【請求項１】
デジタル放送を受信して記録する記録媒体と、
前記放送の受信レベルが所定以下であるか否かを検出する受信不良検出手段と、
前記受信不良検出手段で受信不良を検出したとき、前記受信放送の記録を停止し、受信不良が解消したとき記録を再開する記録制御手段と、
前記受信不良検出時に、受信した放送番組データから受信放送番組の再放送を検出する再放送検出手段と、
前記再放送検出手段で再放送が存在することを検出したときその再放送番組の記録予約を行う記録予約手段と、
前記記録予約手段により同番組の再放送を受信した受信データを記録し、該再放送の記録が受信不良により記録停止部分を生じているとき、先の記録データと再放送の記録データのいずれかの記録データを、他の記録データで補充編集する記録編集手段とを備えたことを特徴とするデジタル放送受信機。
【請求項２】
デジタル放送を受信して記録する記録媒体と、
前記放送の受信レベルが所定以下であるか否かを検出する受信不良検出手段と、
前記受信不良検出手段で受信不良を検出したとき、前記受信放送の記録を停止し、受信不良が解消したとき記録を再開する記録制御手段と、
前記受信不良検出時に、別途設置しているデジタル放送を受信し記録する記録媒体に対して、受信した放送番組データを用いて同番組の記録を指示する記録指示出力手段と、
前記別途設置している記録媒体による前記番組の記録データを取り込み、先の記録データと前記取り込んだ記録データの何れかの記録データを、他の記録データで補充編集する記録編集手段とを備えたことを特徴とするデジタル放送受信機。
【請求項３】
デジタル放送を受信して記録する記録媒体と、
前記放送の受信レベルが所定以下であるか否かを検出する受信不良検出手段と、
前記受信不良検出手段で受信不良を検出したとき、前記受信放送の記録を停止し、受信不良が解消したとき記録を再開する記録制御手段と、
前記受信不良検出時に、受信した放送番組データから受信放送番組の再放送を検出する再放送検出手段と、
前記再放送検出手段で再放送が存在することを検出したときその再放送番組の記録予約を行う記録予約手段と、
前記再放送検出手段で再放送が存在しないことを検出したときに、別途設置しているデジタル放送を受信し記録する記録媒体に対して、受信した放送番組データを用いて同番組の記録を指示する記録指示出力手段と、
前記記録予約手段により同番組の再放送を受信した受信データを記録し、該再放送の記録が受信不良により記録停止部分を生じたとき、先の記録データと再放送の記録データのいずれかの記録データを、他の記録データで補充編集し、また、前記再放送が存在しないことを検出し前記別途設置している記録媒体に前記番組を記録したとき、その記録データを取り込み、先の記録データと前記取り込んだ記録データの何れかの記録データを、他の記録データで補充編集する記録編集手段とを備えたことを特徴とするデジタル放送受信機。
【請求項４】
前記デジタル放送はデジタルテレビ放送またはデジタルオーディオ放送であることを特徴とする請求項１乃至請求項３の何れか一つに記載のデジタル放送受信機。
【請求項５】
前記デジタル放送受信機は車両に搭載したものであり、
前記別途設置している記録媒体は録画機能付家庭内デジタル放送受信機のものであり、
前記記録指示出力手段は、携帯電話を用いた通信手段であることを特徴とする請求項２または請求項３記載のデジタル放送受信機。
【請求項６】
前記受信放送の記録を停止していた期間を示すデータは、記録欠損部分記憶手段に記録することを特徴とする請求項１乃至請求項３の何れか一つに記載のデジタル放送受信機。
【発明の詳細な説明】
【技術分野】
【０００１】
本発明は、デジタル放送を受信し録画する録画機能付のデジタル放送受信器に関し、特に車両搭載用機器のように移動による周囲の受信環境変化によって受信電波状態が悪化し、受信放送の録画が適切に行われないことがあったときでも、別途録画したデータを利用して補充編集することができるようにしたデジタル放送受信器に関する。
【背景技術】
【０００２】
近年はＣＳデジタル放送からＢＳデジタル放送、更には地上波デジタル放送が普及している。特に地上波デジタル放送は車両等の高速移動体においても良好な受信ができるため、車両用テレビ受信器として適しており、車両搭載機器として広く普及することが予想されている。また、デジタル放送はテレビ放送に限らず、デジタルのオーディオ放送も行われており、更に車両には近年ハードディスク（ＨＤＤ）ドライブがナビゲーション装置の他、オーディオ用としても搭載されるようになり、デジタルオーディオ放送を車両搭載機器で受信して録音し、必要に応じてこれを聴くことができる環境が整っている。
【０００３】
また、近年は家庭内の機器としてＤＶＤに映像や音楽データを記録して視聴するＤＶＤレコードプレーヤが普及し、特に大容量のＨＤＤを備えて、多くの録画予約を行って録画し、その後必要なものをＤＶＤに編集録画することも広く行われている。このようなＨＤＤ−ＤＶＤ録画機器は小型で安価となっており、これを車両に搭載することも提案されている。特に前記のように車両にはＨＤＤドライブを搭載するようになっているため、ＤＶＤ録画機能を付けずに用いるときには、現在の機器構成で直ちに利用可能となる。
【０００４】
一方、従来のデジタルテレビ受信器においては、降雨等により電波受信状態が悪くなるとき、受信状態が悪くなった旨の警告表示を継続し、受信状態が良くなったときに再び通常の画像出力を行うようにしている。また、録画機能を備えた受信器においてはその電波受信状態が悪いとには、映像品質の悪い、ちらつきのある画面を録画するか、静止画を録画し続けることとなる。特にこのようなデジタルテレビ受信器を、前記のような車両に搭載したときには、電波状態が大きく変化するため、このようなことが多発することが予想される。
【０００５】
例えば図６に示す例においては、デジタル放送受信器を車両に搭載したとき、周囲の環境により電波の受信状態が変化し、受信レベルが大きく変化する状態を示しており、デジタル放送の受信データをデコード部で適正に処理できるデコード可能受信レベルを下回ることが、ｔ１とｔ２間のＦ１部分と、ｔ３とｔ４の間のＦ２部分と、ｔ５とｔ６の間のＦ３部分で生じる。その結果、上記の期間以外のＲ１、Ｒ２、Ｒ３、Ｒ４の部分においては通常の動画、有音部分の録画が行われるものの、前記Ｆ１、Ｆ２、Ｆ３の部分においては静止画で無音部分の録画が行われることとなる。
【０００６】
このような状態を改善するため、下記特許文献１には、電波の受信状態が悪く、警告画面が延々と表示され、意味のないデータが記録され続けることがないように、電波の受信状態が所定以上悪化したときには記録を行わないようにし、また、デジタル放送において別途送信されている電子番組表であるＥＰＧデータを用い、利用者に電子番組ガイドを提示し、或いはマルチディスプレイで関連する番組を表示し、或いは同じ番組が放送されているときにはその局を受信し録画を行うと共に、電波の受信状態が良くなったときには再び先の放送を受信し記録する、等の処理を行うことが提案されている。
【特許文献１】特開２００１−２８５７３４号公報
【発明の開示】
【発明が解決しようとする課題】
【０００７】
上記のような従来の技術においては、デジタル放送受信器の電波の受信状態が悪いとき、これを受信しないようにし、また録画しないようにする技術においては、特に録画のデータについては前記図６に示す静止画、無音部分の記録が停止されるのみであるので、例えばこの録画していた番組がドラマであったとき、途中部分が途切れた欠損のある録画データとならざるを得ず、録画データとしてはあまり意味のないものとなることが多い。このようなことは前記のようなデジタルテレビ放送受信器の録画に限らず、デジタルオーディオ放送受信器の録音についても同様である。
【０００８】
したがって本発明は、デジタル放送受信器で受信したデータを録音、録画等により記録するに際して、記録作動中に受信状態が悪くなることによって低品質録画や静止画の録画、或いは無音部分の録音等が生じないようにこれらの記録作動を停止すると共に、後にこの記録停止部分のデータを補充して完結した記録データとすることを主たる目的とする。
【課題を解決するための手段】
【０００９】
本発明に係るデジタル放送受信器は上記課題を解決するため、デジタル放送を受信して記録する記録媒体と、前記放送の受信レベルが所定以下であるか否かを検出する受信不良検出手段と、前記受信不良検出手段で受信不良を検出したとき、前記受信放送の記録を停止し、受信不良が解消したとき記録を再開する記録制御手段と、前記受信不良検出時に、受信した放送番組データから受信放送番組の再放送を検出する再放送検出手段と、前記再放送検出手段で再放送が存在することを検出したときその再放送番組の記録予約を行う記録予約手段と、前記記録予約手段により同番組の再放送を受信した受信データを記録し、該再放送の記録が受信不良により記録停止部分を生じているとき、先の記録データと再放送の記録データのいずれかの記録データを、他の記録データで補充編集する記録編集手段とを備えたことを特徴とする。
【００１０】
また、本発明に係る他のデジタル放送受信機は、デジタル放送を受信して記録する記録媒体と、前記放送の受信レベルが所定以下であるか否かを検出する受信不良検出手段と、前記受信不良検出手段で受信不良を検出したとき、前記受信放送の記録を停止し、受信不良が解消したとき記録を再開する記録制御手段と、前記受信不良検出時に、別途設置しているデジタル放送を受信し記録する記録媒体に対して、受信した放送番組データを用いて同番組の記録を指示する記録指示出力手段と、前記別途設置している記録媒体による前記番組の記録データを取り込み、先の記録データと前記取り込んだ記録データの何れかの記録データを、他の記録データで補充編集する記録編集手段とを備えたことを特徴とする。
【００１１】
また、本発明に係る他のデジタル放送受信機は、デジタル放送を受信して記録する記録媒体と、前記放送の受信レベルが所定以下であるか否かを検出する受信不良検出手段と、前記受信不良検出手段で受信不良を検出したとき、前記受信放送の記録を停止し、受信不良が解消したとき記録を再開する記録制御手段と、前記受信不良検出時に、受信した放送番組データから受信放送番組の再放送を検出する再放送検出手段と、前記再放送検出手段で再放送が存在することを検出したときその再放送番組の記録予約を行う記録予約手段と、前記再放送検出手段で再放送が存在しないことを検出したときに、別途設置しているデジタル放送を受信し記録する記録媒体に対して、受信した放送番組データを用いて同番組の記録を指示する記録指示出力手段と、前記記録予約手段により同番組の再放送を受信した受信データを記録し、該再放送の記録が受信不良により記録停止部分を生じたとき、先の記録データと再放送の記録データのいずれかの記録データを、他の記録データで補充編集し、また、前記再放送が存在しないことを検出し前記別途設置している記録媒体に前記番組を記録したとき、その記録データを取り込み、先の記録データと前記取り込んだ記録データの何れかの記録データを、他の記録データで補充編集する記録編集手段とを備えたことを特徴とする。
【００１２】
また、本発明に係る他のデジタル放送受信機は、前記デジタル放送受信機において、前記デジタル放送はデジタルテレビ放送またはデジタルオーディオ放送であることを特徴とする。
【００１３】
また、本発明に係る他のデジタル放送受信機は、前記デジタル放送受信機において、前記デジタル放送受信機は車両に搭載したものであり、前記別途設置している記録媒体は録画機能付家庭内デジタル放送受信機のものであり、前記記録指示出力手段は、携帯電話を用いた通信手段であることを特徴とする。
【００１４】
また、本発明に係る他のデジタル放送受信機は、前記受信放送の記録を停止していた期間を示すデータは、記録欠損部分記憶手段に記録することを特徴とする。
【発明の効果】
【００１５】
本発明は上記のように構成したので、デジタル放送受信器で受信したデータを録音、録画等により記録するに際して、記録作動中に受信状態が悪くなることによって低品質録画や静止画の録画、或いは無音部分の録音等が生じないようにこれらの記録作動を停止することによって無駄な記録を行わないようにすることができ、更に、記録停止時に自動的に再放送の予約を行って再放送時に記録することができ、或いは別途設置している機器にその番組を直ちに記録することができる。したがって、その後これらのデータを用いて先の記録欠損部分のあるデータを補充し完成した番組の記録データとすることができる。
【発明を実施するための最良の形態】
【００１６】
本発明は、デジタル放送受信器で受信したデータを記録するに際して、記録作動中に受信状態が悪くなったとき記録を停止し、その後記録できなかった部分を他のデータで補充するという目的を、デジタル放送を受信して記録する記録媒体と、前記放送の受信レベルが所定以下であるか否かを検出する受信不良検出手段と、前記受信不良検出手段で受信不良を検出したとき、前記受信放送の記録を停止し、受信不良が解消したとき記録を再開する記録制御手段と、前記受信不良検出時に、受信した放送番組データから受信放送番組の再放送を検出する再放送検出手段と、前記再放送検出手段で再放送が存在することを検出したときその再放送番組の記録予約を行う記録予約手段と、前記記録予約手段により同番組の再放送を受信した受信データを記録し、該再放送の記録が受信不良により記録停止部分を生じているとき、先の記録データと再放送の記録データのいずれかの記録データを、他の記録データで補充編集する記録編集手段とを備えることによって実現した。
【実施例１】
【００１７】
本発明の実施例を図面に沿って説明する。図１は本発明によるデジタル放送受信器を、特に録画機能付の車両搭載デジタル放送受信器に適用した例における、各種機能部とそれらの相互関係を示す機能ブロック図であり、種々の態様で実施することができるように多様な機能部を備えた例を示している。なお、同図における各機能部は各機能を行う手段と言うこともできる。
【００１８】
図１に示す録画機能付車両搭載デジタル放送受信器１１においては、所定のソフトを記録したＲＯＭ、そのソフトを処理するＣＰＵ、更にはＲＡＭ等を備えたシステム制御部１２を有し、このシステム制御部１２に各機能部を接続することにより、予め決められた所定の作動を行うことができるようになっている。
【００１９】
アンテナ１３で受信したデジタル放送の電波は受信選局部１４で利用者がリモコン等で指示した受信局の受信周波数成分を抽出し、この抽出した信号に対して周波数変換を行った中間周波数信号を復調部１５に出力する。復調部１５では、入力した中間周波数信号に対して、直交復調処理、ＦＦＴ復調処理を行って、インタリーブされた送信データを復調し、更にこのインタリーブを解いて元のデータ列に戻し誤り訂正部１６に出力する。誤り訂正部１６では、入力されたデータの誤り検出、訂正処理を行いデコード部１７にこれを出力する。デコード部１７では、入力される多重化された複合データを映像データ１８と音声データ１９、及び各種データ制御用信号並びに後述するＥＰＧデータ等の情報データ２０にそれぞれデコードして出力する。
【００２０】
映像デコード部２１ではデコード部１７で分離された映像データについて映像信号２２とするためにデコードし、この映像信号２２を別途画像表示処理を行って、その映像をモニタに表示する。また、音声デコード部２３では音声データについてデコードし、これを音声信号２４として出力し、別途音声出力処理を行ってスピーカから音声出力を行う。情報データ２０はシステム制御部で処理を行い、各種の制御信号、或いはデータとして用いる。
【００２１】
図１に示すデジタル放送受信器１１においては、特に車両搭載のため車両の高速移動に伴って周囲の建物、樹木、山等によって受信状態が変化することが多く、受信信号のレベルが低下して、映像が静止画になり、音声は無音化するような所定レベル以下になることがある。このように受信信号が所定レベル以下で受信不良になったこと、及びその受信不良が解消したことを受信不良検出部３０で検出する。また、受信データ位置検出部３１では、特に現在受信している番組を後述する録画記録媒体３８に録画しているとき、受信不良検出部３０で前記のような受信不良を検出したときの、及びその受信不良が解消したときの、その番組におけるデータ位置を検出する。この検出データは後述する録画欠損部分記憶部３９に記録される。
【００２２】
ＥＰＧデータ取込部３２では、前記情報データ２０の中に含まれ、所定時間毎に更新されている電子番組データであるＥＰＧデータを取り込み、図１の例においては、このデータを直ちに利用できるようにＥＰＧデータ更新記憶部３３に適宜更新しながら記憶しておく。再放送検出部３４では、後述するように番組録画中に受信不良になったとき、その番組の再放送を、前記のように記憶しているＥＰＧデータの中から検索し、録画予約部３５に出力する。
【００２３】
また、再放送検出部３４で現在のＥＰＧデータでは再放送がないことを検出したときには、録画指示ＥＰＧデータ出力部４２を作動させ、録画指示ＥＰＧデータ出力部４２では現在録画中の番組に関するＥＰＧデータをＥＰＧデータ更新記憶部３３から読出し、携帯電話等の通信部４３、アンテナ４４から自分の家等に設置している、録画機能付家庭内デジタル放送受信器５１の作動信号として送信する。なお、図示の例においては、現在受信不良となった番組の再放送が存在するとき、その番組のデータに関するＥＰＧデータも録画指示ＥＰＧデータ出力部４２に送り、家庭内のデジタル放送受信機器で録画予約を行うようにしている。なお、図１に示す実施例においてはデジタル放送を受信して録画する例を示しているが、本発明は前記のようにデジタルオーディオ放送受信にも適用することができ、その際には図１の「録画」に関連する機能部は、単にデータの「記録」に関連する機能部となる。
【００２４】
録画予約部３５は前記のように再放送検出部３４で再放送が存在することを検出したとき録画予約を行うほか、通常の態様として、リモコン等の外部指示信号を入力する外部指示信号入力部３６の指示により所定の番組を録画するように録画予約する。その際には、ＥＰＧデータ更新記憶部３３のデータを利用することもできる。録画用データ出力部３７では、図示実施例ではシステム制御部１２を介して取り込んだ映像データ、音声データ、更には必要に応じて文字データ等の各種データを、ＨＤＤやＤＶＤレコーダ、或いはＨＤＤ付ＤＶＤレコーダ等の録画記録媒体３８に出力する。その際には、利用者からの指示信号入力時の他、録画予約部３５からの指示により、所定の番組を録画可能とする。録画欠損部分記憶部３９では、前記のように録画中の番組が途中で受信不良となったとき、録画が欠損となる部分のデータの位置を記録する。
【００２５】
録画編集部４１では、欠損を生じた録画番組が再放送されて録画記録媒体３８に記録されたときに、或いは後述するように録画機能付家庭内デジタル放送受信器５１で欠損部分が録画されたときこれを外部データ取込部４０から取り込むことができたとき、先に録画していた録画欠損部分のあるデータに、後述するようにデータを埋め込み、適正に録画されたデータと同様の録画データとなるように編集する。
【００２６】
一方、家庭に設置している録画機能付家庭内デジタル放送受信器５１においては、通信部５３によって前記のように携帯電話等の通信部４３から送信された、現在録画機能付車両搭載デジタル放送受信器５１で録画中の番組に関するＥＰＧデータを、アンテナ５２を介して受信し、これを録画指示ＥＰＧデータ入力部５４に対して出力する。録画指示ＥＰＧデータ入力部５４では、入力したＥＰＧデータをデジタル放送受信部５６に出力し、その番組の受信と録画を直ちに開始する。
【００２７】
また、前記のように、録画指示ＥＰＧデータ出力部４２から、再放送検出部３４で検出した再放送番組のＥＰＧデータが送られてきたときには、これを録画予約部５７に出力し録画予約を行う。録画用データ出力部５８はデジタル放送受信部５６で受信し、前記と同様に各種の処理を行った録画用データを録画記録媒体５９に出力する。その際には、録画予約部５７の指示に従い、デジタル放送受信部５６で受信している番組の中で所定のものを録画記録媒体５９に出力させる。デジタル放送受信部５６は録画予約部５７の指示によっても受信作動がなされる。録画データ外部出力部６０は、上記のようにして録画した録画記録媒体５９の録画データを、例えばＤＶＤ、メモリ、携帯用ＨＤＤ等の各種記録媒体に記録し、前記録画機能付車両搭載デジタル放送受信器１１の外部データ取込部４０に接続或いは挿入して、これを直接利用可能とし、或いは録画編集部４１を介して録画記録媒体３８に録画可能とする。その後録画編集部４１は録画記録媒体３８に録画したデータに対して所定の編集を行うことができる。
【００２８】
上記のような機能ブロックからなるデジタル放送受信器において、デジタル放送を受信しながら録画を行い、受信レベル低下により録画を停止することによって生じた録画欠損部分を各種の態様で補充編集を行う作動は、例えば図２及び図３に示す作動フローによって順に作動することができる。以下にこれらの作動を図１の機能ブロック図及び図４並びに図５の録画編集作動説明図等を参照しつつ説明する。
【００２９】
図２に示すデジタル放送の受信録画処理においては、最初デジタル放送の受信を行い（ステップＳ１）、利用者が指示した番組の録画作動がなされる（ステップＳ２）。この実施例においてはデジタル放送受信中にＥＰＧデータの取り込みを行い、これを更新して記録する（ステップＳ３）。この作動は図１のＥＰＧデータ取込部３２が、デコード部１７で受信データから分離した情報データ２０に含まれるＥＰＧデータを取り込み、ＥＰＧデータ更新記憶部３３に記録することによって行われる。
【００３０】
このデジタル放送受信中に放送受信状態は所定レベル以下になったか否かを判別する（ステップＳ４）。この判別は、図１の受信不良検出部３０が受信電界強度、或いは誤り訂正部１６での誤り訂正処理回数等によって検出することができる。ここで放送受信状態が所定レベル以下になっていないと判別したときには、ステップＳ１３に進み、録画を終了するか否かを判別し、タイマ等によって未だ終了しないとき或いは利用者による終了指示が行われないときには、前記ステップＳ２に戻って録画作動とそれ以降の前記作動を繰り返す。ステップＳ１３で録画を終了すると判別したときには、ステップＳ１６に進んで録画作動を終了する。この処理の過程では放送受信状態が所定レベル以下になることはなかったので、適切な録画が行われたこととなり、本発明の処理は行われない。
【００３１】
ステップＳ４において放送受信状態は所定レベル以下になったと判別したときには、録画を停止する（ステップＳ５）。次いで録画停止番組のデータ位置を記録する（ステップＳ６）。この作動は録画欠損部分記憶部３９において、録画が行われなくなったデータ部分を、番組全体のデータ構成における時刻データ列において、録画が停止した時刻データを記録する等によって行うことができる。それにより、例えばドラマを録画中に放送受信レベル低下により録画が行われなくなったとき、そのドラマの開始時点からの時刻データを記録する。
【００３２】
次いで、録画中の番組のＥＰＧデータの取り込みを行ない（ステップＳ７）、ＥＰＧから現在録画中の番組の再放送を検索する。これは図１の再放送検出部３４がＥＰＧデータ更新記憶部３３に記録されている１週間等の所定期間のＥＰＧデータの中に、現在放送されている番組が再放送されることになっているか否かを検索することにより行われる。ここで再放送が存在することが検出されたときには、その再放送を録画予約する（ステップＳ１０）。
【００３３】
図２に示す例においては、ステップＳ９で再放送が存在しないと判別したときには、携帯電話で録画機能付家庭内デジタル放送受信器５１に、現在放送受信中で録画が停止された番組のＥＰＧデータを送信して録画の指示を行う（ステップＳ１４）。
【００３４】
録画機能付家庭内デジタル放送受信器５１では録画指示ＥＰＧデータ入力部５４でこれを入力し、デジタル放送受信部５６を作動すると共に録画用データ出力部５８から録画記録媒体５９に録画する。それにより、録画機能付車両搭載デジタル放送受信器１１で録画されなかった部分は僅かの受信不能部が存在することがあっても、その後は家庭内のデジタル放送受信器で安定した録画が行われる。
【００３５】
前記ステップＳ１０で再放送を録画予約した後、またステップＳ１４で携帯電話等によって録画機能付家庭内デジタル放送受信器にＥＰＧデータを送信して録画指示を行った後には、受信レベルは所定以上になったか否かの判別を行う（ステップＳ１１）。ここで未だ受信レベルは所定以上になっていないと判別したときには、録画を終了するか否かの判別を行い、タイマ等によって未だ終了しないとき、或いは利用者による終了指示が行われないときには、前記ステップＳ１１に戻って受信レベルが所定以上になるまで録画停止状態を継続する。その過程でタイマ等により録画を終了することになったとき、録画作動は終了する（ステップＳ１６）。
【００３６】
ステップＳ１１で受信レベルが所定以上になったと判別したときには、その後録画を再開し、録画が再開されるデータ位置を記録する（ステップＳ１５）。この記録は前記ステップＳ６と同様の処理を行うことによってなされる。その後、ステップＳ２に戻って録画作動を行い、以降は前記作動を繰り返す。このようにして、録画欠損部分記憶部３９には、前記のような録画不能部分の開始部分と終了部分を記録しておくことができる。
【００３７】
このようなデジタル放送受信機による録画処理を行う結果、受信レベルが所定以下に低下したとき不適切な録画が継続して行なわれるのでその録画を停止し、その番組の再放送があるときにはこれを録画予約し、再放送がないときには家庭内機器で現在受信中の放送を録画し、受信レベルが所定以上に復帰したときには、録画を継続する、という作動を行うことができる。
【００３８】
一方、本発明にお手は上記のように録画が途中で停止することによって録画欠損部分が存在した場合には、その録画欠損部分を再放送受信録画データ、或いは家庭内機器で録画したその放送の録画データによって補充編集するものであるが、そのような録画欠損部分補充編集処理は例えば図３に示す作動フローにしたがって順に作動させることができる。図３の例においては最初、録画欠損部分補充用の他の録画データの取り込みが行われる（ステップＳ２１）。これは前記のように再放送を受信して録画記録媒体３８にその後録画された同番組のデータを録画記録媒体中で特定することによって行われ、或いは家庭内機器の録画記録媒体５９で直接録画したＤＶＤ、或いはＨＤＤに録画したデータを再録画したＤＶＤを、車両搭載機器のＤＶＤプレーヤに挿入し、また家庭内機器で録画したデータを携帯ＨＤＤに記録して、これを車両搭載デジタル放送受信機の外部データ取込部４０に接続し、録画編集部４１で編集可能にすることによって行うことができる。なお、再放送の録画によってその番組が欠損無く録画されたときには、先に録画した欠損付きの録画データは全て消去しても良い。
【００３９】
次いで、図１の録画欠損部分記憶部３９から、録画欠損部分データを読み込む（ステップＳ２２）。その後欠損補充用録画データを録画欠損部分毎に抽出する（ステップＳ２３）。次いでこのようにして抽出した欠損補充用録画データを、録画欠損部分を含む録画データの所定欠損部分に挿入する処理を行う（ステップＳ２４）。その後必要に応じて、不要となった欠損補充用録画データの消去を行う（ステップＳ２５）。
【００４０】
これらの作動は、例えば図４（ａ）に示すように行われる。即ち図４（ａ）に示す例においては、前記図６に示すような受信レベルの変動によって、１つの番組の録画に際して録画停止開始時刻ｔ１で録画再開時刻ｔ２の第１録画欠損部分Ｆ１と、録画停止開始時刻ｔ３で録画再開時刻ｔ４の第２録画欠損部分Ｆ２と、録画停止開始時刻ｔ５で録画再開時刻ｔ６の第３録画欠損部分Ｆ３が存在する結果、１つの番組で録画データが第１録画部分Ｒ１、第２録画部分Ｒ２、第３録画部分Ｒ３、第４録画部分Ｒ４が同図（ｂ）のように連続して存在する録画データとなる。これらの録画部分の間の録画欠損部分におけるデータ時刻は、図１の録画欠損部分記憶部３９に記録されている。なお、同図（ｂ）において、全録画データの最後の部分に示した録画欠損期間Ｆ１、Ｆ２、Ｆ３は、録画を停止することにより図１の録画記録媒体３８の無用な録画が行われなくなった時間となり、最終的に図４（ｃ）に示すような録画データとなっている。
【００４１】
このような欠損付きの録画データに対して、前記のように再放送録画データが同じ録画記録媒体３８に存在するとき、これを自動的に検出して、或いは利用者の再放送録画検索結果によって検出し、図４（ｄ）に示すような再放送録画データが検出される。この再放送録画データには、最初の録画データと同様に録画欠損部分が存在することがあり、図示の例においては録画停止開始時刻ｔ７で録画再開時刻ｔ８の第４録画欠損部分Ｆ４と、録画停止開始時刻ｔ９で録画再開時刻ｔ１０の第５録画欠損部分Ｆ５が存在する結果、同番組で録画データが第５録画部分Ｒ５、第６録画部分Ｒ６、第７録画部分Ｒ８が連続する録画データが得られる。
【００４２】
例えば地上波デジタル放送においては高速で移動する車両で受信しても、受信機の性能にもよるが多くの場合は安定しており、短時間録画欠損部分が生じる程度であるので、最初の録画で生じた録画欠損部分と、再放送の録画時に生じた録画欠損部分が重なることはほとんど無いと推定される。もしも両録画データで録画欠損部分が重複しているときには、その時点で再度再放送検索を行って、同様の欠損補充処理を行うこともできる。
【００４３】
図４（ｄ）のような再放送録画データが得られたとき、図４（ｅ）のような録画欠損部分補充用データの抽出処理を行う。なお、同図は同処理の概念図であり、実際には単なるデータの抽出とコピーによって行われる。図４（ｅ）に示すように、再放送による録画欠損部分補充用データにおいて、同図（ａ）の第１録画欠損部分Ｆ１に対応する時刻Ｓ１−Ｓ２間の第１録画欠損補充用データＨ１、第２録画欠損部分Ｆ２に対応する時刻Ｓ３−Ｓ４間の第２録画欠損補充用データＨ２、第３録画欠損部分Ｆ３に対応する第３録画欠損補充用データＨ３を切り出すことができる。
【００４４】
このようにして切り出された録画欠損補充用データを取り出して示したものが図４（ｆ）である。この録画欠損補充用データを同図（ｃ）に示すような欠損付き録画データの対応する欠損部分に、同図（ｇ）に示すように挿入処理を行うことによって、同図（ｈ）に示すような録画欠損補充済みの完成した録画データが得られる。
【００４５】
一方、録画補充データとして前記のように家庭内機器で録画したものを用いるときには、例えば図５に示すような処理を行うことによって、録画の欠損部分が補充されたデータを得ることができる。即ち、図５に示す例においては、前記図４（ａ）〜（ｃ）と同様に、図５（ａ）〜（ｃ）の処理によって（ｃ）のような欠損付き録画データが得られているとき、家庭内機器録画データとして同図（ｄ）に示すように、第１録画停止開始時刻ｔ１から録画が開始され、家庭内デジタル放送受信機であることにより原則として録画欠損部分は生じることがない録画部分Ｒ８の安定した録画データが得られる。
【００４６】
この録画部分データ８が図１の外部データ取込部４０から取り込まれるとき、録画編集部４１は図５（ｅ）のように録画部分Ｒ８の中から、同番組の一連の時刻データを用い、その番組の開始時点からの時刻を用いて、前記図４に示す処理と同様にして第１録画欠損補充用データＨ１、第２録画欠損補充用データＨ２、第３録画補充用データＨ３を抽出し、図５（ｆ）に示すような３個の録画欠損補充用データを得る。以降は前記図４に示す処理と同様にして、同図（ｇ）に示すように欠損付き録画データの対応する欠損部分に挿入処理を行うことによって、同図（ｈ）に示すような録画欠損補充済みの完全な録画データが得られる。
【００４７】
なお、上記実施例においては、録画欠損部分のある先の録画データにおける録画欠損部分に、対応する再放送の録画データによって補充する例を示したが、例えば再放送の録画に際して単に一部に録画欠損を生じているのみのデータである時には、その部分に対して先の録画で対応しているデータを補充することにより、完成した番組録画データとすることもできる。同様に、家庭内機器で録画したデータを主データとし、車両搭載機器で録画したデータを用いて補充することにより完成した番組録画データとすることもできる。
【産業上の利用可能性】
【００４８】
本発明は図示実施例のようなデジタル放送テレビ受信機以外に、デジタル放送オーディオ受信機にも前記録画処理に代えて録音処理を行うことにより、同様に実施することができる。また、前記実施例においては比較的受信レベルの変動が多い車両搭載機器について説明したが、たとえば衛星デジタル放送においても降雨時や荒天時に受信レベルが低下することがあるので、一般家庭用機器に本発明を適用し、その際に受信レベルが低下した時に録画停止した場合は、その部分を再放送の受信によって前記と同様に補充編集処理するようにして本発明を利用することができる。
【図面の簡単な説明】
【００４９】
【図１】本発明の実施例の機能ブロック図である。
【図２】同実施例におけるデジタル放送受信録画処理の作動フロー図である。
【図３】同実施例における録画欠損部分補充編集処理の作動フロー図である。
【図４】再放送を録画して録画欠損部分を補充処理する例を示す図である。
【図５】放送受信不良時に録画停止したとき家庭用機器で録画したデータにより録画欠損部分を補充する例を示す図である。
【図６】放送受信レベルの変動と録画不良発生状況を示す図である。
【符号の説明】
【００５０】
１１  録画機能付車両搭載デジタル放送受信機  １２  システム制御部
１４  受信選局部                            １５  復調部
１６  誤り訂正部                            １７  デコード部      
１８  映像データ                            １９  音声データ
２０  情報データ                            ２１  映像コード部
２２  映像信号                              ２３  音声コード部
２４  音声信号                              ３０  受信不良検出部
３１  受信データ位置検出部                  ３２  ＥＰＧデータ取込部
３３  ＥＰＧデータ位置記憶部                ３４  再放送検出部
３５  録画予約部                            ３６  外部指示信号入力部
３７  録画用データ出力部                    ３８  録画記録媒体
３９  録画欠損部分記憶部                    ４０  外部データ取込部
４１  録画編集部                            ４２  録画指示ＥＰＧデータ出力部
５１  録画機能付家庭内デジタル放送受信機    ５３  通信部
５４  録画指示ＥＰＧデータ入力部            ５６  デジタル放送受信部
５７  録画予約部                            ５８  録画用データ出力部
５９  録画記録媒体                          ６０  録画データ外部出力部      
【図１】
2006229794.tif 000003
【図２】
2006229794.tif 000004
【図３】
2006229794.tif 000005
【図４】
2006229794.tif 000006
【図５】
2006229794.tif 000007
【図６】
2006229794.tif 000008